(57)【要約】【課題】効果的にシンチレーションの低減を図ったスクリーン、リアプロジェクタ及び画像表示装置を提供する。【解決手段】本発明のスクリーン２０は、拡散層１０を有するスクリーン本体１２と、拡散層１０の外周に支持部材１４を介して設けられた枠部１６とを有し、拡散層１０が支持部材１４により拡散層１０の面に交差する方向に振動可能に枠部１６に取り付けられている。【選択図】図３
2007286347.tif 000002
【特許請求の範囲】
【請求項１】
拡散層を有するスクリーン本体と、
前記拡散層の外周に沿って支持部材を介して設けられた枠部とを有し、
前記拡散層が前記支持部材により前記拡散層の面に交差する方向に振動可能に前記枠部に取り付けられていることを特徴とするスクリーン。
【請求項２】
前記スクリーン本体が前記拡散層を複数有し、
前記複数の拡散層のうち少なくとも２層以上の前記拡散層が、前記支持部材を介して前記拡散層の面に交差する方向に振動可能に前記枠部に取り付けられていることを特徴とする請求項１に記載のスクリーン。
【請求項３】
前記スクリーン本体が前記拡散層を複数有し、
前記複数の拡散層のうち１層の前記拡散層が、前記支持部材を介して前記拡散層の面に交差する方向に振動可能に前記枠部に取り付けられていることを特徴とする請求項１に記載のスクリーン。
【請求項４】
前記支持部材が弾性材料からなることを特徴とする請求項１乃至請求項３のいずれか１項に記載のスクリーン。
【請求項５】
可撓性を有する拡散層を有するスクリーン本体と、
前記拡散層の外周に沿って設けられた枠部とを有し、
前記可撓性を有する拡散層が、前記拡散層の面に交差する方向に振動可能に前記枠部に張った状態で取り付けられていることを特徴とするスクリーン。
【請求項６】
前記可撓性を有する拡散層と異なる拡散層が、前記可撓性を有する拡散層と離間して前記枠部に取り付けられ、
前記枠部に囲まれた空間が、前記枠部に取り付けられた前記拡散層によって密閉されていることを特徴とする請求項５に記載のスクリーン。
【請求項７】
前記異なる拡散層が可撓性を有することを特徴とする請求項６に記載のスクリーン。
【請求項８】
前記可撓性を有する拡散層が、前記拡散層の面内の全ての方向に均一な張力で前記枠部に取り付けられていることを特徴とする請求項５乃至請求項７のいずれか１項に記載のスクリーン。
【請求項９】
前記可撓性を有する拡散層が、前記スクリーン本体の外面側に配置されていることを特徴とする請求項６乃至請求項８のいずれか１項に記載のスクリーン。
【請求項１０】
光を射出する光源と、
前記光源から射出された光を変調する光変調素子と、
前記光変調素子により変調された光が投射される前記請求項１乃至請求項９のいずれか１項に記載のスクリーンと、
を備えることを特徴とするリアプロジェクタ。
【請求項１１】
光を射出する光源と、
前記請求項１乃至請求項９のいずれか１項に記載のスクリーンと、
前記スクリーン上で前記光源から射出された光を走査する走査部と、
を備えることを特徴とする画像表示装置。
【発明の詳細な説明】
【技術分野】
【０００１】
本発明は、スクリーン、リアプロジェクタ及び画像表示装置に関する。
【背景技術】
【０００２】
近年、プロジェクタが急速な普及を見せている。主にプレゼンテーション用途で利用されているフロント投射型プロジェクタの他、近年はリア投射型プロジェクタが大画面の一形態として認知度を高めつつある。プロジェクション方式の表示装置の最大の利点は、液晶テレビ、ＰＤＰ等の直視型ディスプレイと比べて低価格で同画面サイズの商品を提供できるところにある。しかし、直視型においても低価格が進展しており、プロジェク方式の表示装置にもより高い画質性能が求められている。
【０００３】
プロジェクタは、光源から射出された光を液晶ライトバルブ等の光変調素子に照射し、光変調素子により変調された投射光をスクリーンに投射することで画像をスクリーンに表示する。このとき、スクリーンには、画像が表示されると共に、スクリーン全面がぎらついて見えるシンチレーションと呼ばれる特有の現象が発生する。
【０００４】
ここで、シンチレーションの発生原理について図１０（ａ）、（ｂ）を参照して説明する。
図１０（ａ）、（ｂ）に示すように、光源７０から出射された光は、液晶ライトバルブを透過して、拡散材７２を含むスクリーン７４に投射される。スクリーン７４に投射された投射光は、スクリーン７４に含有する拡散材７２により拡散される。拡散された光は、スクリーンの通過時に拡散材７２により回折されて２次源波のように振舞う。この２次源波による２つの球面波は、図１０（ｂ）に示すように、２波の位相関係に応じて強め合ったり弱め合ったりして、スクリーン面と鑑賞者との間に干渉縞となって現れる。この干渉縞が発生する像面Ｓに鑑賞者の焦点が合わせられると、鑑賞者はその干渉縞をスクリーン面をぎらつかせるシンチレーションとして認識する。
【０００５】
シンチレーションは、スクリーン面に結像された画像を見ようとする鑑賞者にとって、あたかもスクリーン面と鑑賞者との間にベール、レース布、又はくもの巣を張ったかのような不快感を与える。また、鑑賞者の眼はスクリーン面とシンチレーションという２重の像を見ることになり、それぞれに焦点を合わせようとするため、大きな疲労を招く。
【０００６】
また、近年、プロジェクタの光源として高圧水銀ランプに代わる新しい光源の開発が求められている。特に、レーザ光源はエネルギー効率、色再現性、超寿命、瞬時点灯等の点で次世代プロジェクタ用の光源としての期待が高まっている。しかし、プロジェクタの光源として高圧水銀ランプの代わりに干渉性の高いレーザ光源を用いた場合には、干渉縞のコントラストはより高くなり、シンチレーションによる不快感と疲労はもはや耐え難いものとなる。
【０００７】
そこで、シンチレーションを低減する技術が広く提案されている。
例えば、特許文献１には、光拡散材が混入されたプラスチック材料より形成されている出射側光拡散層と、透明なプラスチック材料より形成されている中間層と、光拡散材が混入されたプラスチック材料より形成されている入射側光拡散層とを有するスクリーンが開示されている。これにより、入射側光拡散層にて発生したシンチレーションは出射側光拡散層にて再度拡散され、シンチレーションの発生を低減させている。
また、特許文献２及び３には、画像投射用スクリーンを構成する光拡散層の少なくとも１層を内部振動させ、光拡散層の相対的位置関係を変化させる画像投射用スクリーンが開示されている。このように、光拡散層に内部振動を付与することにより、シンチレーションの発生を低減させている。
【特許文献１】特開平１１−３８５１２号公報
【特許文献２】特開２００１−１００３１６号公報
【特許文献３】特開２００１−１００３１７号公報
【発明の開示】
【発明が解決しようとする課題】
【０００８】
しかしながら、上記特許文献１〜３に開示されるシンチレーションの低減方法では以下の問題があった。
（１）上記特許文献１では、出射側光拡散層は固定されているため、拡散面上の各点から発した光線間の干渉がなすスクリーンと鑑賞者との間の空間の位相分布も固定されており、干渉縞もまた固定された像として視認される。従って、本質的にはシンチレーションを低減させることができないという問題があった。
（２）上記特許文献２及び３では、光、電場、磁場、熱、応力等の種々の振動手段を用いるため、余分な駆動エネルギーを要していた。また、これらの駆動手段を用いた場合、拡散層へのエネルギー伝達効率も低く、振動、音、不要電磁波、排熱となり、鑑賞者の快適な鑑賞を阻害する原因となっていた。
【０００９】
本発明は、上記課題に鑑みてなされたものであり、その目的は、効果的にシンチレーションの低減を図ったスクリーン及びリアプロジェクタを提供することにある。
【課題を解決するための手段】
【００１０】
本発明は、上記課題を解決するために、拡散層を有するスクリーン本体と、前記拡散層の外周に沿って支持部材を介して設けられた枠部とを有し、前記拡散層が前記支持部材により前記拡散層の面に交差する方向に振動可能に前記枠部に取り付けられていることを特徴とする。
【００１１】
また本発明のスクリーンは、前記スクリーン本体が前記拡散層を複数有し、前記複数の拡散層のうち少なくとも１層の前記拡散層が、前記支持部材を介して前記拡散層の面に交差する方向に振動可能に前記枠部に取り付けられていることも好ましい。
【００１２】
この構成によれば、拡散層は枠部に振動可能に取り付けられるため、スクリーンに外乱振動が付与されると、拡散層は拡散層の面に交差する方向に受動的に振動する。ここで、外乱振動とは、リアプロジェクタのスピーカから出力される音による振動、又はリアプロジェクタが配置される外部環境、例えば床の振動、風による振動等を意味する。これにより、スクリーン本体の拡散層を通過する光の拡散状態が変化し、これに伴って、スクリーン本体の拡散層の拡散、回折により生成される干渉縞のパターンが変化する。従って、干渉縞が積分平均化され、シンチレーションを低減させることができる。
さらに、拡散層の振動には、外乱振動を利用し、光、電場等の振動発生手段を利用しないため、余分な駆動エネルギーを要さずにシンチレーションを低減させることができる。
【００１３】
また本発明のスクリーンは、前記スクリーン本体が前記拡散層を複数有し、前記複数の拡散層のうち少なくとも２層以上の前記拡散層が、前記支持部材を介して前記拡散層の面に交差する方向に振動可能に前記枠部に取り付けられていることも好ましい。
【００１４】
この構成によれば、少なくとも２層以上の拡散層が支持部材を介して振動可能に枠部に取り付けられるため、これらの拡散層に外乱振動が付与されると、複数の拡散層のそれぞれが相対的に振動する。これにより、複数の拡散層の位置が相対的に変化し、スクリーンを通過する光の拡散状態が時間的に変化し、これに伴い、スクリーン本体の拡散層の拡散、回折により生成される干渉縞のパターンが変化する。よって、拡散層を単層とした場合と比較して、複数の拡散層を相対的に振動させることができるため、鑑賞者の眼の残像効果によって積分平均化され、より効率的にシンチレーションを低減させることができる。
【００１５】
また本発明のスクリーンは、前記支持部材が弾性材料からなることも好ましい。
【００１６】
この構成によれば、拡散層や枠部に付与される外乱振動は弾性材料からなる支持部材に伝達される。支持部材に伝達された振動の一部は、支持部材の弾性力により、拡散層に再び反発される。そのため、拡散層は外乱振動に加えて支持部材より付勢されて振動する。これにより、拡散層をより効率的に振動させることができる。
【００１７】
また本発明のスクリーンは、可撓性を有する拡散層を有するスクリーン本体と、前記拡散層の外周に沿って設けられた枠部とを有し、前記可撓性を有する拡散層が、前記拡散層の面に交差する方向に振動可能に前記枠部に張った状態で取り付けられていることを特徴とする。
【００１８】
この構成によれば、可撓性を有する拡散層が枠部に張った状態で取り付けられているため、この拡散層に外乱振動が付与されると、拡散層は拡散層の面に交差する方向に振動する。従って、スクリーン本体の拡散層を通過する光の拡散状態が変化し、これに伴って、スクリーン本体の拡散層の拡散、回折により生成される干渉縞のパターンが変化する。これにより、干渉縞が積分平均化され、シンチレーションを低減させることができる。
【００１９】
また本発明のスクリーンは、前記可撓性を有する拡散層と異なる拡散層が、前記可撓性を有する拡散層と離間して前記枠部に取り付けられ、前記枠部に囲まれた空間が、前記枠部に取り付けられた前記拡散層によって密閉されていることも好ましい。
【００２０】
この構成によれば、枠部に囲まれた空間が拡散層によって密閉されているため、スクリーンに外乱振動が付与されると、密閉された空間内の気圧変化が生じ、空間内に振動が伝達される。伝達された振動の一部は、拡散層及び枠部の内周面によって反射され、再び拡散層に吸収され拡散層を振動させる。従って、より効率的に拡散層を振動させることができる。
【００２１】
また本発明のスクリーンは、前記異なる拡散層が可撓性を有することも好ましい。
【００２２】
この構成によれば、枠部に囲まれた空間は、２層の可撓性を有する拡散層によって密閉される。そのため、一方の拡散層にのみ外乱振動が付与された場合でも、一方の拡散層に付与された振動が密閉された空間を介して他方の拡散層に伝達され、他方の拡散層が共振する。従って、２層の拡散層が相対的に振動することになるため、干渉縞が積分平均化され、より効果的にシンチレーションを低減することができる。
【００２３】
また本発明のスクリーンは、前記可撓性を有する拡散層が、前記拡散層の面内の全ての方向に均一な張力で前記枠部に取り付けられていることも好ましい。
【００２４】
この構成によれば、拡散層が全ての方向に均一な張力で枠部に取り付けられるため、共振周波数におけるＱ値が高くなる。これにより、拡散層に外乱振動が付与されると、拡散層は敏感に反応して共振するため、拡散層を周期的に振動させることができる。
【００２５】
また本発明のスクリーンは、前記可撓性を有する拡散層が、前記スクリーン本体の外面側に配置されていることも好ましい。
【００２６】
この構成によれば、可撓性を有する拡散板が配置されたスクリーン本体の外面側を鑑賞者側に配置することにより、最も鑑賞者に近い位置で拡散板を振動させることができるため、より効果的にシンチレーションを低減させることができる。
【００２７】
本発明は、光を射出する光源と、前記光源から射出された光を変調する光変調素子と、前記光変調素子により変調された光が投射される上記スクリーンと、を備えることを特徴とする。
【００２８】
本発明によれば、上記スクリーンを備えるため、シンチレーションを低減させたリアプロジェクタを提供することができる。
【００２９】
また本発明の画像表示装置は、光を射出する光源と、上記スクリーンと、前記スクリーン上で前記光源から射出された光を走査する走査部と、を備えることを特徴とする。
【００３０】
本発明によれば、上記スクリーンを備えるため、シンチレーションを低減させた画像表示装置を提供することができる。
【発明を実施するための最良の形態】
【００３１】
以下、本発明の実施形態につき、図面を参照して説明する。
なお、以下の説明に用いる各図面では、各部材を認識可能な大きさとするため、各部材の縮尺を適宜変更している。また、以下の説明においては、ｘｙｚ直交座標系を設定し、このｘｙｚ直交座標系を参照しつつ各部材の位置関係について説明する。そして、水平面内における所定方向をｘ方向、水平面内においてｘ方向と直交する方向をｙ方向、ｘ方向及びｙ方向のそれぞれに直交する方向をｚ方向とする。また、本実施形態においては、図に示すスクリーン２０の正面側を鑑賞者が画像を視認する鑑賞者側とし、その反対側を背面側とする。
【００３２】
［第１の実施の形態］
図１（ａ）は本実施形態に係るリアプロジェクタ１２０の概略構成を示す斜視図であり、（ｂ）は図１（ａ）に示すリアプロジェクタ１２０の側面断面図である。本実施形態に係るリアプロジェクタ１２０は、光源から射出された光を光変調素子により変調し、この変調した光をスクリーン２０に拡大投射するリア投射型プロジェクタである。
【００３３】
図１（ａ）に示すように、リアプロジェクタ１２０は、画像が投射されるスクリーン２０と、スクリーン２０の背面側に取り付けられた筐体９０とを備えている。スクリーン２０の下方の筐体９０にはフロントパネル８８が設けられ、フロントパネル８８の左右側にはスピーカからの音声を出力する開口部３８が設けられている。
【００３４】
次に、リアプロジェクタ１２０の筐体９０の内部構造について説明する。
図１（ｂ）に示すように、リアプロジェクタ１２０の筐体９０内部の下方には投射光学系１５０が設けられている。投射光学系１５０とスクリーン２０との間には反射ミラー９２，９４が設けられており、投射光学系１５０から出射された光が反射ミラー９２，９４によって反射され、スクリーン２０に拡大投射されるようになっている。
【００３５】
次に、リアプロジェクタ１２０の投射光学系１５０の概略構成について説明する。
図２は、リアプロジェクタ１２０の投射光学系１５０の構成を示す概略図である。なお、図２中においては、簡略化のためリアプロジェクタ１２０を構成する筐体９０は省略している。
【００３６】
投射光学系１５０は、光源１０２と、光源１０２から出射された光を変調する光変調素子１００と、光変調素子１００により変調された光を投射する投射レンズ１１４とを備えている。本実施形態においては、光変調素子１００として液晶ライトバルブ１００Ｒ、１００Ｇ、１００Ｂが用いられている。
【００３７】
図２に示すように、投射光学系１５０は、ハロゲンランプ等の白色の光源からなるランプユニット１０２が設けられている。このランプユニット（光源）１０２から出射された光は、内部に配置された３枚のミラー１０６及び２枚のダイクロイックミラー１０８によってＲＧＢの３原色に分離されて、各原色に対応する液晶ライトバルブ１００Ｒ（赤色）、１００Ｇ（緑色）及び１００Ｂ（青色）にそれぞれ導かれる。ここで、液晶ライトバルブ１００Ｒ、１００Ｇ及び１００Ｂは、画像信号処理回路（図示省略）から供給されるＲ、Ｇ、Ｂの原色信号でそれぞれ駆動されるものである。
また、Ｂ（青）色の光は他のＲ（赤）色やＧ（緑）色と比較すると、光路が長いので、その損失を防ぐために、入射レンズ１２２、リレーレンズ１２３及び出射レンズ１２４からなるリレーレンズ系１２１を介して導かれるようになっている。
【００３８】
液晶ライトバルブ１００Ｒ、１００Ｇ、１００Ｂによってそれぞれ変調された光は、ダイクロイックプリズム１１２に３方向（液晶ライトバルブ１００Ｒ、１００Ｇ、１００Ｂ）から入射する。ダイクロイックプリズム１１２は、Ｒ色及びＢ色の光を９０度に屈折させると共に、Ｇ色の光を直進させ、各液晶ライトバルブ１００Ｒ、１００Ｇ、１００Ｂの各光出射部からの光を合成するようになっている。そして、合成された各光出射部の光を投射レンズ１１４を介して、スクリーン２０上に投射する。
【００３９】
次に、リアプロジェクタ１２０のスクリーン２０の概略構成について説明する。
図３（ａ）はスクリーン２０の概略構成を示す斜視図であり、図３（ｂ）は（ａ）のスクリーン２０のＡ−Ａ’線に沿った断面図である。なお、図３においては、スクリーン本体１２はフレーム１６と一定の間隔を空けて配置されているが、実際には図１に示すように、フレーム１６の一部が前面に張り出しており、上記間隙が張り出したフレーム１６によって覆われているものとする。
【００４０】
図３に示すように、スクリーン２０は、スクリーン本体１２とゴム材１４（支持部材）を介してスクリーン本体１２を支持するフレーム１６（枠部）とを備えてる。
【００４１】
スクリーン本体１２は平面視矩形状の拡散板１０（拡散層）を有する。拡散板１０は剛性を有すると共に、スクリーン本体１２に投射された光を拡散させて鑑賞者の視野範囲を広げるものである。また、拡散板１０中には拡散材が均一に分散されている。拡散材としては、酸化ケイ素、アルミナ、炭酸カルシウム、ガラスビース、アクリル樹脂系等の共重合体、又はシリコーン樹脂系等の非晶質の有機系材料が好適に用いられる。また、拡散板１０の鑑賞者側面には、拡散板１０等のスクリーン本体１２を保護するためのハードコート層（図示省略）が貼り付けられている。
【００４２】
フレーム１６は、拡散板１０の外周に沿って額縁状に形成され、フレーム１６と拡散板１０とは互いに一定の間隔を空けて配置されている。また、フレーム１６は図１に示す筐体９０と一体的に構成されている。
【００４３】
ゴム材１４は拡散板１０の外周に沿って取り付けられており、このゴム材１４を介して拡散板１０がフレーム１６の内周側に取り付けられている。このとき、ゴム材１４は、図３（ｂ）に示すように、遊びを有した（撓んだ）状態で拡散板１０とフレーム１６との間に設けられ、拡散板１０がゴム材１４によって弾性的に支持されている。これにより、拡散板１０に外乱振動が付与されると、拡散板１０は拡散板１０の面に垂直（交差）方向（ｚ方向）に振動可能となっている。ここで、外乱振動とは、リアプロジェクタ１２０のスピーカから出力される音に基づく振動、又はリアプロジェクタ１２０が配置される外部環境、例えば床の振動、風の振動等を意味する。また、拡散板１０に外乱振動が付与される場合としては、フレーム１６に外乱振動が付与されてフレーム１６から拡散板１０に間接的に振動が伝達される場合と、拡散板１０の面に直接的に外乱振動が付与される場合等がある。
【００４４】
また、拡散板１０の外周に沿って設けられるゴム材１４は、ゴム材１４の全周において弾性係数が略同一となっている。なお、拡散板１０をフレーム１６に取り付けるための材料としては、ゴム材１４の他に伸縮自在な弾性部材を用いても良いし、ワイヤー等の非弾性部材からなる支持部材を用いても良い。
【００４５】
図４（ａ）〜（ｄ）は、スクリーン２０に外乱振動が付与された場合の拡散板１０の動作を示す図である。
まず、プロジェクタの電源がオンされると、例えばリアプロジェクタ１２０のスピーカから出力される音により外乱振動が発生する。この外乱振動が、筐体９０内を伝わってスクリーン２０の拡散板１０に伝達される。そして、上述したような構成を有するスクリーン２０の拡散板１０に外乱振動が伝達されると、図４（ａ）〜図４（ｄ）に示すように、スクリーン本体１２の拡散板１０は拡散板１０の面に垂直方向（ｚ方向）に往復振動する。なお、拡散板１０の振動方向は、ゴム材１４の弾性率を拡散板１０の各辺ごとに異ならせることにより、拡散板１０の面に交差する方向（垂直以外の方向）に変化させることも可能である。
【００４６】
本実施形態によれば、拡散板１０はフレーム１６に振動可能に取り付けられるため、スクリーンに外乱振動が付与されると、拡散板１０は拡散板１０の面に交差する方向に受動的に振動する。これにより、スクリーン本体１２の拡散板１０を通過する光の拡散状態が変化し、これに伴って、スクリーン本体１２の拡散板１０の拡散、回折により生成される干渉縞のパターンが変化する。従って、干渉縞が積分平均化され、シンチレーションを低減させることができる。
さらに、拡散板１０の振動には、外乱振動を利用し、光、電場等の振動発生手段を利用しないため、余分な駆動エネルギーを要さずにシンチレーションを低減させることができる。
【００４７】
また本実施形態によれば、拡散板１０がゴム材１４を介してフレーム１６に取り付けられているため、外乱振動がゴム材１４に伝達されると、ゴム材１４の弾性力により、拡散板１０に再び反発される。そのため、拡散板１０は外乱振動に加えてゴム材１４より付勢されて振動する。これにより、拡散板１０をより効率的に振動させることができる。
【００４８】
なお、上記スクリーンでは、１層の拡散板１０をゴム材１４を介してフレーム１６に振動可能に取り付けたが、これに限定されることない。例えば、図５に示すように、２層（２層以上）の拡散機能を有する層１０，１０のそれぞれをゴム材１４を介してフレーム１６に振動可能に取り付けても良い。この拡散機能を有する層としては、拡散板１０の他に、フレネルレンズ４０、又はレンチキュラーレンズ４２を用いても良い。
さらには、２層以上の拡散機能を有する層をフレーム１６に取り付けて、そのうちの１層のみをゴム材１４を介してフレーム１６に振動可能に取り付けても良い。
【００４９】
［第２の実施の形態］
次に、本実施形態について図面を参照して説明する。
上記実施形態では、拡散板をゴム材によりフレームに取り付けていた。これに対し、本実施形態では、可撓性を有する拡散板をフレームに張った状態で貼り付けている点において異なる。なお、その他のリアプロジェクタの構成は、上記第１実施形態と同様であるため、共通の構成要素には同一の符号を付し、詳細な説明は省略する。
【００５０】
図６（ａ）は、スクリーンの概略構成を示す斜視図であり、（ｂ）は（ａ）に示すスクリーンのＢ−Ｂ’線に沿った断面図である。
【００５１】
図６（ａ）、（ｂ）に示すように、スクリーン２０は、スクリーン本体１２と、スクリーン本体１２を支持するフレーム１６とを有する。スクリーン本体１２は、上述した剛性を有する拡散板１０と、可撓性を有する柔軟なフィルム状の拡散シート２２とを有する。
【００５２】
図６（ａ）、（ｂ）に示すように、フレーム１６の背面側面１６ｂには、剛性を有する拡散板１０が接着剤を介して貼り付けられている。一方、フレーム１６の鑑賞者側面１６ａには、可撓性を有する拡散シート２２が張った状態で接着剤を介して貼り付けられ、この拡散シート２２の周縁部がフレームの鑑賞者側面１６ａから上面１６ｃ及び下面１６ｄのそれぞれに屈曲して貼り付けられている。このとき、拡散シート２２は、フレーム１６の外側方向に均一なテンション（張力）が付与された状態で貼り付けられている。より具体的には、フレーム１６の辺に対応する位置の拡散シート２２はテンションを低くしてフレーム１６に貼り付けられ、フレーム１６の角部に対応する位置の拡散シート２２はテンションを高くしてフレーム１６に貼り付けられている。これにより、拡散板１０に外乱振動が付与されると、拡散板１０は拡散板１０の面に垂直方向（ｚ方向）に振動可能となっている。なお、拡散シート２２のテンションを均一に調節する制御手段を設けても良い。
【００５３】
また図６（ｂ）に示すように、拡散板１０と拡散シート２２とはフレーム１６を介して離間して配置されている。そして、フレーム１６に囲まれる空間Ｈが、フレーム１６の背面側に貼り付けられた拡散板１０とフレーム１６の鑑賞者側に貼り付けられた拡散シート２２とによって密閉されている。
【００５４】
なお、上記実施形態では、剛性を有する拡散板１０をフレーム１６の背面側に貼り付け、可撓性を有する拡散シート２２をフレーム１６の鑑賞者側に貼り付けた。これに対し、剛性を有する拡散板１０をフレーム１６の鑑賞者側に貼り付け、可撓性を有する拡散シート２２をフレーム１６の背面側に貼り付けることも好ましい。
【００５５】
本実施形態によれば、拡散シート２２がフレーム１６に張った状態で取り付けられているため、この拡散シート２２に外乱振動が付与されると、拡散シート２２は拡散シート２２の面に直交する方向（ｚ方向）に振動する。従って、スクリーン本体１２の拡散シート２２及び拡散板１０を通過する光の拡散状態が変化し、これに伴って、スクリーン本体１２の拡散シート２２及び拡散板１０の拡散、回折により生成される干渉縞のパターンが変化する。これにより、干渉縞が積分平均化され、シンチレーションを低減させることができる。
【００５６】
また本実施形態によれば、フレーム１６に囲まれた空間が、フレーム１６の鑑賞者側に貼り付けられた拡散シート２２とフレーム１６の背面側に貼り付けられた拡散板１０とによって密閉されているため、スクリーン２０に外乱振動が付与されると、密閉された空間内の気圧変化が生じ、空間内に振動が伝達される。伝達された振動の一部は、拡散板１０、拡散シート２２及びフレーム１６の内周面によって反射され、再び及び拡散シート２２に吸収され拡散シート２２を振動させる。従って、より効率的に拡散シート２２を振動させることができる。
【００５７】
また本実施形態によれば、拡散シート２２が全ての方向に均一な張力でフレーム１６に取り付けられるため、共振周波数におけるＱ値が高くなる。従って、拡散シート２２に外乱振動が付与されると、拡散シート２２は敏感に反応して共振する。これにより、
駆動手段を要さずに拡散シート２２を周期的に振動させることができる。
【００５８】
さらに本実施形態によれば、振動する拡散シート２２を鑑賞者側に配置することにより、最も鑑賞者に近い位置で拡散シート２２を振動させることができるため、より効果的にシンチレーションを低減させることができる。
【００５９】
また、上記実施形態では、剛性を有する拡散板１０と可撓性を有する拡散シート２２とを用いたが、これに代えて、フレーム１６の両面側のそれぞれに可撓性を有する拡散シート２２，２２を貼り付けても良い。
この構成によれば、フレーム１６に囲まれた空間Ｈは、２層の可撓性を有する拡散シート２２，２２によって密閉される。そのため、一方の拡散シート２２にのみ外乱振動が付与された場合、一方の拡散シート２２に付与された振動が密閉された空間Ｈを介して他方の拡散シート２２に伝達される。そして、他方の拡散シート２２が共振する。このように、本実施形態によれば、駆動手段を要さずに複数の層を振動させることができる。これにより、２層の拡散シート２２，２２が相対的に振動することになるため、干渉縞が積分平均化され、より効果的にシンチレーションを低減することができる。
【００６０】
［第３の実施の形態］
次に、本実施形態について図面を参照して説明する。
上記第１実施形態では、拡散板を弾性部材により枠部に取り付けていた。これに対し、本実施形態では、可撓性を有する拡散板を枠部に張った状態で貼り付けている点において異なる。なお、その他のリアプロジェクタの構成は、上記第１実施形態と同様であるため、共通の構成要素には同一の符号を付し、詳細な説明は省略する。
【００６１】
図７（ａ）は、スクリーンの概略構成を示す斜視図であり、（ｂ）は（ａ）に示すスクリーンのＣ−Ｃ’線に沿った断面図である。
【００６２】
図７（ａ）、（ｂ）に示すように、スクリーン２０は、スクリーン本体１２と、スクリーン本体１２を支持するフレーム１６とを有する。スクリーン本体１２は、上述した剛性を有する拡散板１０と、可撓性を有するフィルム状の拡散シート２２とを有する。
【００６３】
フレーム１６の鑑賞者側面１６ａには、可撓性を有する拡散シート２２が張った状態で取り付けられている。このとき、拡散シート２２は、フレーム１６の外側方向に均一なテンション（張力）が付与された状態で取り付けられている。なお、本実施形態においてはフレーム１６の背面側には拡散板１０又は拡散シート２２が貼り付けられておらず、フレーム１６の背面側は開放された状態となっている。
【００６４】
可撓性を有する拡散シート２２の鑑賞者側には、拡散シート２２と一定の間隔Ｄを空けて剛性を有する拡散板１０が配置されている。拡散板１０は、拡散シート２２の鑑賞者側の４箇所の角部に設けられたスペーサ２６を介して拡散板１０に取り付けられている。このように、拡散シート２２と拡散板１０とを離間して配置することにより、拡散シート２２に付与された外乱振動が、剛性を有する拡散板１０によって減衰されないようになっている。
【００６５】
本実施形態によれば、上記第２実施形態と同様の作用効果を奏することができる。即ち、拡散シート２２がフレーム１６に張った状態で取り付けられているため、この拡散シート２２に外乱振動が付与されると、拡散シート２２は拡散シート２２の面に直交する方向（ｚ方向）に振動する。従って、干渉縞が積分平均化され、シンチレーションを低減させることができる。
【００６６】
なお、本実施形態においては、スクリーン２０を拡散シート２２と拡散板１０との２層構造としたが、これに限定されることはない。例えば、拡散シート２２の拡散機能が高い場合には、拡散シート２２の一層からスクリーン２０を構成することも可能である。
【００６７】
［第４の実施の形態］
次に、本実施形態について図面を参照して説明する。
上記実施形態では、スクリーン本体を拡散板と拡散シートとにより構成していた。これに対し、本実施形態では、スクリーン本体をさらに複数の層により構成する点において異なる。なお、その他のリアプロジェクタの構成は、上記第１実施形態と同様であるため、共通の構成要素には同一の符号を付し、詳細な説明は省略する。
【００６８】
図８は、スクリーン本体１２を複数の拡散機能を有する層から構成した場合の概略構成を示す断面図である。
図８に示すように、スクリーン本体１２は、上述した拡散板１０及び拡散シート２２（図示省略）に加えて、像を圧縮（集光）するレンチキュラーレンズ４２と、スクリーン２０に投射される光を平行光に変換するフレネルレンズ４０とを有する。これらの層は、投射される投射光の光軸Ｌ上に、鑑賞者側から拡散板１０、レンチキュラーレンズ４２、及びフレネルレンズ４０の順に配置されている。また、拡散板１０の鑑賞者側の面にはハードコート層４６が貼り貼り付けられている。レンチキュラーレンズ４２の鑑賞者側の面にはブラックマスク４４が格子状に形成されている。
このように、上記第１〜第３実施形態において、スクリーン本体１２の拡散板１０及び拡散シート２２にレンチキュラーレンズ４２とフレネルレンズ４０とを加えた構成としても良い。
【００６９】
本実施形態によれば、複数の拡散機能を有する層１０，２２，４０，４２が設けられるため、拡散板１０又は拡散シート２２が振動すると、複数の拡散機能を有する層１０，２２，４０，４２の位置が相対的に変化する。これにより、干渉縞のパターンが変化するため、拡散板１０を１層、又は拡散板１０と拡散シート２２の２層とした場合と比較して、鑑賞者の眼の残像効果によって干渉縞が積分平均化され、より効率的にシンチレーションを低減させることができる。
【００７０】
［第５の実施の形態］
次に、本実施形態について図面を参照して説明する。
本実施形態は、リアプロジェクタの構成として光変調素子ではなく走査部を用いる点において異なる。なお、その他スクリーンの構成は、上記第１実施形態と同様であるため、共通の構成要素には同一の符号を付し、詳細な説明は省略する。
【００７１】
図９は、リアプロジェクタ１２０の概略構成を示す断面図である。
本実施形態のリアプロジェクタ１２０は、図９に示すように、レーザ光を射出する光源１０２と、コリメート光学系１０４とビーム整形光学系１０５とを含むレンズ光学系１０３と、入射されたレーザ光を２次元方向に走査するスキャナ８２と、走査された光を拡大投射する投射レンズ１０８と、投射された光をスクリーン１２０に向けて反射する反射ミラー１０９とを備えている。光源１０２は、赤色のレーザ光を射出する赤色レーザダイオード１０２Ｒと、緑色のレーザ光を射出する緑色レーザダイオード１０２Ｇと、青色のレーザ光を射出する青色レーザダイオード１０２Ｂとを有する。
【００７２】
レーザダイオード１０２Ｒ，１０２Ｇ，１０２Ｂから出射されたレーザ光は、レンズ光学系１０３を介してスキャナ８２に入射する。入射したレーザ光は、スキャナ８２により２次元方向にスキャン（走査）され、投射レンズ１０８、反射ミラー１０９を介してスクリーン２０に投射される。このようにして、本実施形態のリアプロジェクタ１２０−は、光源１０２から射出されたレーザ光をスキャナ８２によりスクリーン２０上で光を走査させることにより画像を形成するようになっている。
【００７３】
本実施形態のようにレーザ光源を用いたスキャン型のリアプロジェクタ１２０においても、スクリーン２０が弾性部材１４を介してフレーム１６に振動可能に取り付けられているため、上記実施形態と同様の作用効果が得られ、効果的にシンチレーションを低減させることができる。
【００７４】
なお、本発明の技術範囲は、上述した実施形態に限定されるものではなく、本発明の趣旨を逸脱しない範囲において、上述した実施形態に種々の変更を加えたものを含む。
例えば、スクリーン２０は上記実施形態で説明した構成に限定されることはなく、上述した第１実施形態と第２実施形態又は第３実施形態とを組み合わせた構成としても良い。
また、上記実施形態においては、上記構成を有するスクリーン２０をリアプロジェクタ１２０に採用したが、フロント投射型プロジェクタのスクリーンに採用することも可能である。
さらに、上記実施形態では、光変調素子として透過型の液晶ライトバルブを用いた例を示したが、反射型の液晶ライトバルブ、および、微小ミラーアレイデバイスを光変調素子として用いることができる。その際には、投射光学系の構成は適宜変更される。
【図面の簡単な説明】
【００７５】
【図１】本発明の実施形態に係るリアプロジェクタの概略構成図である。
【図２】本発明の実施形態に係るリアプロジェクタの投射光学系の概略構成図である。
【図３】第１実施形態に係るスクリーンの概略構成図である。
【図４】同、スクリーンに外乱振動が付与された場合の拡散板の動作を示す図である。
【図５】同、スクリーンの変形例の概略構成図である。
【図６】第２実施形態に係るスクリーンの概略構成図である。
【図７】第３実施形態に係るスクリーンの概略構成図である。
【図８】第４実施形態に係るスクリーンの概略構成図である。
【図９】第５実施形態に係るリアプロジェクタの概略構成図である。
【図１０】シンチレーションを説明するための図である。
【符号の説明】
【００７６】
１０…拡散板（拡散層）、  １２…スクリーン本体、  １４…ゴム材（支持部材）、  １６…フレーム（枠部）、  ２０…スクリーン、  ２２…拡散シート（拡散層）、  ４０…フレネルレンズ、  ４２…レンチキュラーレンズ、  ７４…スクリーン、  １２０…リアプロジェクタ、  Ｈ…空間
【図１】
2007286347.tif 000003
【図２】
2007286347.tif 000004
【図３】
2007286347.tif 000005
【図４】
2007286347.tif 000006
【図５】
2007286347.tif 000007
【図６】
2007286347.tif 000008
【図７】
2007286347.tif 000009
【図８】
2007286347.tif 000010
【図９】
2007286347.tif 000011
【図１０】
2007286347.tif 000012